(57)【要約】【課題】化粧カバーを必須とするものでなく、また、特別の漏電対策を必要としない壁付けスイッチ装置装置。【解決手段】無線電波が透過する壁下地層１２の表面側に配置した無線タグ１３と、壁下地層１２の裏面側又は層内に配置したリーダ１４を備え、無線タグ１３は、リーダ１４からの無線電波を受信するアンテナ１５と、無線電波を受信して電源の供給を受け、この電源を利用してデータをアンテナ１５からリーダ１４へ送信する無線タグＩＣ１６と、無線タグＩＣ１６のデータの送信をＯＮ／ＯＦＦ制御する操作スイッチ１７を備え、リーダ１４は、無線タグ１３に対する無線電波の送受信を行うアンテナ１８と、無線タグ１３から送信される無線タグＩＣ１６のデータに応じてＯＮ／ＯＦＦする通電制御用スイッチ１９を備えたこと。【選択図】  図１
2005243387.tif 000002
【特許請求の範囲】
【請求項１】
無線電波が透過する壁下地層の表面側に配置した無線タグと、壁下地層の裏面側又は層内に配置したリーダを備えた壁付けスイッチ装置であって、無線タグは、リーダからの無線電波を受信するアンテナと、無線電波を受信して電源の供給を受け、この電源を利用してデータをアンテナからリーダへ送信する無線タグＩＣと、当該無線タグＩＣのデータの送信をＯＮ／ＯＦＦ制御する操作スイッチを備え、リーダは、無線タグに対する無線電波の送受信を行うアンテナと、無線タグから送信される無線タグＩＣのデータに応じてＯＮ／ＯＦＦする通電制御用スイッチを備えたことを特徴とする壁付けスイッチ装置。
【請求項２】
前記無線タグを、前記壁下地層と可撓性の壁仕上層の間に配置し、該壁仕上層の表面から感圧式の前記操作スイッチを押圧操作できるようにした請求項１記載の壁付けスイッチ装置。
【請求項３】
壁仕上層の表面側に配置した無線タグと、リーダを備えた壁付けスイッチ装置であって、該無線タグは、リーダからの無線電波を受信するアンテナと、無線電波を受信して電源の供給を受け、この電源を利用してデータをアンテナからリーダへ送信する無線タグＩＣと、当該無線タグＩＣのデータの送信をＯＮ／ＯＦＦ制御する操作スイッチを備え、該リーダは、壁仕上層と壁下地層の間に配置して無線タグに対する無線電波の送受信を行うアンテナと、無線タグから送信される無線タグＩＣのデータに応じてＯＮ／ＯＦＦする通電制御用スイッチを備えたことを特徴とする壁付けスイッチ装置。
【請求項４】
無線電波が透過する壁下地層の表面側に配置した無線電波が透過する壁意匠材と、該壁意匠材に内蔵した無線タグと、壁下地層の層内又は裏面側に配置したリーダを備えた壁付けスイッチ装置であって、無線タグは、リーダからの無線電波を受信するアンテナと、無線電波を受信して電源の供給を受け、この電源を利用してデータをアンテナからリーダへ送信する無線タグＩＣと、壁意匠材の表面側から操作できて当該無線タグＩＣのデータの送信をＯＮ／ＯＦＦ制御する操作スイッチを備え、リーダは、無線タグに対する無線電波の送受信を行うアンテナと、無線タグから送信される無線タグＩＣのデータに応じてＯＮ／ＯＦＦする通電制御用スイッチを備えたことを特徴とする壁付けスイッチ装置。
【請求項５】
壁下地層の表面側に配置した無線電波が透過する壁意匠材と、該壁意匠材に内蔵した無線タグと、リーダを備えた壁付けスイッチ装置であって、該無線タグは、リーダからの無線電波を受信するアンテナと、無線電波を受信して電源の供給を受け、この電源を利用してデータをアンテナからリーダへ送信する無線タグＩＣと、壁意匠材の表面側から操作できて当該無線タグＩＣのデータの送信をＯＮ／ＯＦＦ制御する操作スイッチを備え、該リーダは、壁意匠材と壁下地層の間に配置して無線タグに対する無線電波の送受信を行うアンテナと、無線タグから送信される無線タグＩＣのデータに応じてＯＮ／ＯＦＦする通電制御用スイッチを備えたことを特徴とする壁付けスイッチ装置。
【請求項６】
前記操作スイッチは、前記壁意匠材の表面に二つの端子を離間して露出させたものであり、これら端子間を導通状態又は切断状態とすることで無線タグを通信可能状態又は不可能状態に切り換えるようにした請求項４又は５記載の壁付けスイッチ装置。
【発明の詳細な説明】
【技術分野】
【０００１】
本発明は、無線電波（ここでは電磁波を含む、以下同じ）を受信して電源の供給を受け、この電源を利用してデータをアンテナから送信する無線タグを用いた壁付けスイッチ装置に関するものである。
【背景技術】
【０００２】
従来、壁付けスイッチ装置１は、図６に示す如く、建物柱２等にスイッチボックス３を取付け、石膏ボード等からなる壁下地層４及び壁紙等からなる壁仕上層５に開設した開口部６へスイッチ本体９を挿入し、スイッチ本体９を取着した基板７をスイッチボックス３に連結１０，１０し、基板７に化粧カバー８を取り付けるものが一般的である。（特許文献１）
【特許文献１】特開平１０−１６２６７８号公報
【発明の開示】
【発明が解決しようとする課題】
【０００３】
しかし、従来の壁付けスイッチ装置１には、次の様な問題点がある。                （１）壁表面側Ａに露出する開口部６及び基板７を大きな化粧カバー８で覆い隠す必要がある。そのため、大きな化粧カバー８を用いることなく意匠デザインをすることが不可能であり、デザイン上の制限があった。
（２）湿気場所や水掛かりするところでは、スイッチ本体９のタッチ部と通電用接点部の間の漏電対策が必要であった。
【０００４】
本発明は従来の前記課題に鑑みてこれを改良除去したものであって、化粧カバーを必須とするものでなく、また、特別の漏電対策を必要としない壁付けスイッチ装置装置を提供せんとするものである。
【課題を解決するための手段】
【０００５】
前記課題を解決するために請求項１記載の本発明が採用した手段は、無線電波が透過する壁下地層の表面側に配置した無線タグと、壁下地層の裏面側又は層内に配置したリーダを備えた壁付けスイッチ装置であって、無線タグは、リーダからの無線電波を受信するアンテナと、無線電波を受信して電源の供給を受け、この電源を利用してデータをアンテナからリーダへ送信する無線タグＩＣと、当該無線タグＩＣのデータの送信をＯＮ／ＯＦＦ制御する操作スイッチを備え、リーダは、無線タグに対する無線電波の送受信を行うアンテナと、無線タグから送信される無線タグＩＣのデータに応じてＯＮ／ＯＦＦする通電制御用スイッチを備えたことを特徴とする壁付けスイッチ装置である。
請求項１記載の本発明にあっては、無線タグを壁下地層の表面側に配置し、リーダを壁下地層の裏面側または層内に配置したので、従来の化粧カバーで覆い隠すことが必要な大きさの開口部を壁表面側に開設することなく設置でき、また、濡れた手で無線タグの操作スイッチを操作しても感電しない。
【０００６】
操作スイッチが目に触れないようにするために請求項２記載の本発明が採用した手段は、前記無線タグを、前記壁下地層と可撓性の壁仕上層の間に配置し、該壁仕上層の表面から感圧式の前記操作スイッチを押圧操作できるようにした請求項１記載の壁付けスイッチ装置である。
請求項２記載の本発明にあっては、操作スイッチを壁仕上層で覆い隠し目につかないようにできる。
【０００７】
前記課題を解決するために請求項３記載の本発明が採用した手段は、壁仕上層の表面側に配置した無線タグと、リーダを備えた壁付けスイッチ装置であって、該無線タグは、リーダからの無線電波を受信するアンテナと、無線電波を受信して電源の供給を受け、この電源を利用してデータをアンテナからリーダへ送信する無線タグＩＣと、当該無線タグＩＣのデータの送信をＯＮ／ＯＦＦ制御する操作スイッチを備え、該リーダは、壁仕上層と壁下地層の間に配置して無線タグに対する無線電波の送受信を行うアンテナと、無線タグから送信される無線タグＩＣのデータに応じてＯＮ／ＯＦＦする通電制御用スイッチを備えたことを特徴とする壁付けスイッチ装置である。
請求項３記載の本発明にあっては、無線タグとリーダを分離できるため、従来の化粧カバーで覆い隠すことが必要な大きさの開口部を壁表面側に開設することなく設置でき、濡れた手で無線タグの操作スイッチを操作しても感電しない。
【０００８】
前記課題を解決するために請求項４記載の本発明が採用した手段は、無線電波が透過する壁下地層の表面側に配置した無線電波が透過する壁意匠材と、該壁意匠材に内蔵した無線タグと、壁下地層の層内又は裏面側に配置したリーダを備えた壁付けスイッチ装置であって、無線タグは、リーダからの無線電波を受信するアンテナと、無線電波を受信して電源の供給を受け、この電源を利用してデータをアンテナからリーダへ送信する無線タグＩＣと、壁意匠材の表面側から操作できて当該無線タグＩＣのデータの送信をＯＮ／ＯＦＦ制御する操作スイッチを備え、リーダは、無線タグに対する無線電波の送受信を行うアンテナと、無線タグから送信される無線タグＩＣのデータに応じてＯＮ／ＯＦＦする通電制御用スイッチを備えたことを特徴とする壁付けスイッチ装置である。
請求項４記載の本発明にあっては、壁意匠材に内蔵した無線タグとリーダを分離できるため、従来の化粧カバーで覆い隠すことが必要な大きさの開口部を壁表面側に開設することなく設置でき、濡れた手で無線タグの操作スイッチを操作しても感電しない。
【０００９】
前記課題を解決するために請求項５記載の本発明が採用した手段は、壁下地層の表面側に配置した無線電波が透過する壁意匠材と、該壁意匠材に内蔵した無線タグと、リーダを備えた壁付けスイッチ装置であって、該無線タグは、リーダからの無線電波を受信するアンテナと、無線電波を受信して電源の供給を受け、この電源を利用してデータをアンテナからリーダへ送信する無線タグＩＣと、壁意匠材の表面側から操作できて当該無線タグＩＣのデータの送信をＯＮ／ＯＦＦ制御する操作スイッチを備え、該リーダは、壁意匠材と壁下地層の間に配置して無線タグに対する無線電波の送受信を行うアンテナと、無線タグから送信される無線タグＩＣのデータに応じてＯＮ／ＯＦＦする通電制御用スイッチを備えたことを特徴とする壁付けスイッチ装置である。
請求項５記載の本発明にあっては、壁意匠材に内蔵した無線タグとリーダを分離できるため、従来の化粧カバーで覆い隠すことが必要な大きさの開口部を壁表面側に開設することなく設置でき、濡れた手で無線タグの操作スイッチを操作しても漏電しない。
【００１０】
前記課題を解決するために請求項６記載の本発明が採用した手段は、前記操作スイッチは、前記壁意匠材の表面に二つの端子を離間して露出させたものであり、これら端子間を導通状態又は切断状態とすることで無線タグを通信可能状態又は不可能状態に切り換えるようにした請求項４又は５記載の壁付けスイッチ装置。なお、前記二つの端子は、無線タグのアンテナの切断箇所を形成するものであり、これら端子間を導通状態又は切断状態とすることでアンテナを通信可能状態又は不可能状態に切り換えるようにして、通常切断状態であり、人体の接触で導通状態となるようにすることもある。
請求項６記載の本発明にあっては、壁意匠材の表面に露出した二つの端子の間を、壁意匠材の外部から導通状態又は切断状態とすることで無線タグを通信可能状態又は不可能状態に切り換えできるので、無線タグに可動部のある機械式のスイッチを備える必要もない。
【発明の効果】
【００１１】
請求項１，３，４及び５記載の本発明に係る壁付けスイッチ装置は、従来の大きな化粧カバーを用いることなく意匠デザインできるのでデザインの自由度が高めることができ、また、感電対策が不要となり湿気場所や水掛かりする場所にも設置できる。
請求項２記載の記載の本発明に係る壁付けスイッチ装置は、操作スイッチを壁仕上層で覆い隠して目につかないようにできるため、デザインの自由度を更に高めることがでる。  請求項６記載の本発明に係る壁付けスイッチ装置は、無線タグに可動部のある機械式のスイッチを用いないために、無線タグを小型化して壁意匠材に容易に内蔵することができる。
【発明を実施するための最良の形態】
【００１２】
以下に、本発明に係る壁付けスイッチ装置（以下、「本発明スイッチ装置」という）の構成を図面に示す実施の形態に基づいて説明すると次の通りである。
（第１の実施の形態）
図１は本発明スイッチ装置の第１の実施の形態に係るものであり、（Ａ）は壁表面側Ａから見た正面図、（Ｂ）は右側断面図、（Ｃ）は無線タグの電気回路構成、（Ｄ）は別態様を示す右側面図である。
【００１３】
本例の本発明スイッチ装置１１は、無線電波が透過する壁下地層１２の表面側Ａに配置した無線タグ１３と、壁下地層１２の裏面側（図（Ｂ））又は層内（図（Ｄ））に配置したリーダ１４を備えている。壁下地層１２は、石膏ボードまたは木質合板等の下地板から形成され、表面が壁紙等の壁仕上層２０で覆われている。また、壁下地層１２は、壁土で形成され、表面がしっくい等の壁仕上層２０で覆われることもある。
【００１４】
前記無線タグ１３は、リーダ１４からの無線電波を受信するアンテナ１５と、無線電波を受信して電源の供給を受け、この電源を利用してデータをアンテナ１５からリーダ１４へ送信する無線タグＩＣ１６と、無線タグＩＣ１６のデータの送信をＯＮ／ＯＦＦ制御する操作スイッチ１７を備えている。操作スイッチ１７は、押しボタンスイッチ等の感圧式のスイッチが採用され。アンテナ３は、円形又は方形のループアンテナ以外に、ダイポールアンテナ，ヘリックスアンテナ，ターンスタイルアンテナ等を採用することができる。      
【００１５】
前記無線タグ１３は、合成樹脂シート等からなる無線電波が透過する基板に上にアンテナ１５、無線タグＩＣ１６及び操作スイッチ１７が設けられ、これらに湿気が接触しないように防水性の合成樹脂シートでラミネートする等して封止してある。無線タグ１３は、操作スイッチ１７の部分を可撓性で防水性の合成樹脂シート等で覆って、表面側から指先で押圧操作できるようにしてある。無線タグ１３は、壁仕上層２０の表面に、接着、粘着またはビス止め等で取り付けられる。
【００１６】
前記リーダ１４は、無線タグ１３に対する無線電波の送受信を行うアンテナ１８と、操作対象機器（図示略）を起動／停止させる通電制御用スイッチ１９と、無線タグ１３から送信される無線タグＩＣ１６のデータに応じて通電制御用スイッチ１９をＯＮ／ＯＦＦ作動させるリーダ回路２３を備えている。アンテナ１８は、前記アンテナ３と同様に、円形又は方形のループアンテナ以外に、ダイポールアンテナ，ヘリックスアンテナ，ターンスタイルアンテナ等を採用することができる。通電制御用スイッチ１９は、リレー等からなる有接点式、またはサイリスタ等からなる無接点式のスイッチが用途に応じて選択される。リーダ１４は、は、無線電波が透過する合成樹脂製の収納ボックス２１に収納されて外部の衝撃等から保護され、外部配線２２が接続される。収納ボックス２１は、無線タグ１３と交信できる箇所に設置される。
【００１７】
本例の本発明スイッチ装置１１は、無線タグ１３の操作スイッチ１７（次回の押圧操作までＯＮ状態を保持するタイプのスイツチ）が押圧操作でＯＮなったことにより、無線タグＩＣ１６に記憶されているデータが無線通信インターフエイスを通じてアンテナ１５からリーダ１４側のアンテナ１８を経てリーダ回路２３へ送信されリーダ１４側の通電制御用スイッチ１９をＯＮ作動させて、照明，換気扇等の操作対象機器（図示略）を起動操作することができ、また、無線タグ１３の操作スイッチ１７が次の押圧操作でＯＦＦになったことにより、無線タグＩＣ１６のデータがリーダ１４側へ送信されずにリーダ１４側の通電制御用スイッチ１９をＯＦＦ作動させて、照明，換気扇等の操作対象機器（図示略）を停止操作することができる。
【００１８】
本発明スイッチ装置１１は、図示は省略したが、起動専用の無線タグ１３と停止専用の無線タグ１３を一組とし、起動専用の無線タグ１３の操作スイッチ１７の操作でリーダ１４側の通電制御用スイッチ１９をＯＮ作動させ、停止専用の無線タグ１３の操作スイッチ１７の操作でリーダ１４側の通電制御用スイッチ１９をＯＦＦ作動させるように構成することもある。また、本発明スイッチ装置１１は、一つの無線タグ１３の操作スイッチ１７の操作が繰り返されるたびに、リーダ１４側の通電制御用スイッチ１９のＯＮ作動とＯＦＦ作動を交互に繰り返すようにリーダ回路２３を構成することも可能である。
【００１９】
本発明スイッチ装置１１は、無線タグ１３とリーダ１４を分離できるため、従来の化粧カバー１０（図６参照）で覆い隠すことが必要な大きさの開口部を壁表面側に開設することなく設置でき、また、濡れた手で無線タグ１３の操作スイッチ１７を操作しても感電することもない。また、本発明スイッチ装置１１は、無線タグ１３とリーダ１４を交信できる範囲で分離できるため、無線タグ１３及びリーダ１４の設置場所の制限が少なくなり、従来の壁スイッチ装置を設置できない箇所でも設置することが可能となる。
【００２０】
（第２の実施の形態）
図２は本発明スイッチ装置の第２の実施の形態に係るものであり、（Ａ）は壁表面側Ａから見た正面図、（Ｂ）は全体の右側断面図である。
【００２１】
本例の本発明スイッチ装置３１が前記第１の実施の形態に係る本発明スイッチ装置１１（図１参照）と相違する点は、無線タグ１３を、壁下地層１２と可撓性の壁仕上層２０の間に配置し、壁仕上層２０の表面から感圧式の操作スイッチ１７を押圧操作できるようにして、操作スイッチ１７が目に触れないようにしたことである。この相違点以外の構成は、第１の実施の形態に係る本発明スイッチ装置１１と実質的に同一であり、第１の実施の形態と同一の符号は同一構成部材等を指しており、詳細な説明は省略する。なお、壁下地層１２は、無線電波が透過しないタイプのものであってもよい。
【００２２】
（第３の実施の形態）
図３は本発明スイッチ装置の第３の実施の形態に係るものであり、（Ａ）は壁表面側Ａから見た正面図、（Ｂ）は右側断面図である。
【００２３】
本例の本発明スイッチ装置４１が前記第１の実施の形態に係る本発明スイッチ装置１１（図１参照）と相違する点は、壁仕上層２０と壁下地層１２の間にリーダ１４のアンテナ１８を配置し、壁下地層１２に穿設した小径の挿通孔１２ａを挿通するアンテナ１８のリード線１８ａをリーダ１４のリーダ回路２３へ接続したことである。この相違点以外の構成は、第１の実施の形態に係る本発明スイッチ装置１１と実質的に同一であり、第１の実施の形態と同一の符号は同一構成部材等を指しており、詳細な説明は省略する。
【００２４】
本例の本発明スイッチ装置４１は、無線タグ１３とリーダ１４のアンテナ１８を接近させることが可能となり、リーダ１４のリーダ回路２３及び通電制御用スイッチ１９を無線タグ１３から離すことが可能となり、リーダ回路２３及び通電制御用スイッチ１９を設置する場所の制限をより少なくできる。
【００２５】
（第４の実施の形態）
図４は本発明スイッチ装置の第４の実施の形態に係るものであり、（Ａ）は壁表面側Ａから見た正面図、（Ｂ）は全体の右側断面図、（Ｃ）は壁意匠材に内蔵した無線タグを拡大した右側断面図、（Ｄ）は無線タグの電気回路構成である。
【００２６】
本例の本発明スイッチ装置５１は、無線電波が透過する壁下地層１２の表面側に配置した無線電波が透過する壁意匠材５２と、壁意匠材５２に内蔵した無線タグ５３と、リーダ１４を備えている。壁下地層１２は、石膏ボードまたは木質合板等の下地板から形成されて、壁意匠材５２が接着または係止金具（図示略）で取り付けられている。
【００２７】
前記無線タグ５３は、リーダ１４からの無線電波を受信するアンテナ１５と、無線電波を受信して電源の供給を受け、この電源を利用してデータをアンテナ１５からリーダ１４へ送信する無線タグＩＣ１６と、無線タグＩＣ１６のデータの送信をＯＮ／ＯＦＦ制御する操作スイッチ５７を備えている。アンテナ３は、円形又は方形のループアンテナ以外に、ダイポールアンテナ，ヘリックスアンテナ，ターンスタイルアンテナ等を採用することができる。
【００２８】
前記操作スイッチ５７は、二つの端子５７Ａ，５７Ｂを離間して露出させたものであり、これら端子間５７Ａ，５７Ｂを導通状態（ＯＮ状態）又は切断状態（ＯＦＦ状態）とすることで無線タグ５３を通信可能状態又は不可能状態に切り換えるようにしている。アンテナ１５の切断箇所を二つの端子５７Ａ，５７Ｂで形成したときには、これら端子間５７Ａ，５７Ｂを導通状態（ＯＮ状態）又は切断状態（ＯＦＦ状態）とすることでアンテナ１５を通信可能状態又は不可能状態に切り換えられるので、無線タグＩＣ１６自体にスイッチ回路を形成する必要もなく、汎用の無線タグＩＣ１６を利用してコスト低減を図ることが可能となる。無線タグ５３を構成するアンテナ１５，無線タグＩＣ１６は、壁意匠材５２に内蔵されており、前記操作スイッチ５７を構成する二つの端子５７Ａ，５７Ｂの先端側一部が壁意匠材５２の表面５２ａから露出している。
【００２９】
前記操作スイッチ５７は、通常は端子間５７Ａ，５７Ｂが導通しない切断状態（ＯＦＦ状態）になっていてアンテナ１５を通信不可能状態とし、人体（例えば、指先，手または足）の接触で端子間５７Ａ，５７Ｂが導通状態（ＯＮ状態）になるとアンテナ１５を通信可能状態にする。各端子５７Ａ，５７Ｂは、人体の接触する表面を金メッキ等で被覆して、腐食を防止して確実な導通状態を得ることができるようになっている。
【００３０】
前記壁意匠材５２は、合成樹脂若しくは陶磁器等の無線電波が透過する材質からなる固形物であり、例えば、レンガ若しくはタイル等からなり、内部の空洞部５２ｂに無線タグ５３を内蔵し、封止材５４で固定している。空洞部５２ｂは、蓋部５２ｃで覆われている。
【００３１】
前記リーダ１４は、一つの無線タグ５３の操作スイッチ５７の操作が繰り返されるたびに、通電制御用スイッチ１９のＯＮ作動とＯＦＦ作動を交互に繰り返すようにリーダ回路２３を構成してある。
【００３２】
本例の本発明スイッチ装置５１は、壁意匠材５２の表面５２ａに露出する端子間５７Ａ，５７Ｂが人体の接触で導通状態（ＯＮ状態）になってアンテナ１５を通信可能状態にすると、リーダ１４側のアンテナ１８から送信される無線電波を、無線タグ５３のアンテナ１５が受信し、無線タグＩＣ１６内部の電圧回路に動作用の電圧を発生させる。
【００３３】
また、操作スイッチ５７がＯＮになったことにより、無線タグＩＣ１６に記憶されているデータが無線通信インターフエイスを通じてアンテナ１５からリーダ１４側のアンテナ１８を経てリーダ回路へ送信されリーダ１４側の通電制御用スイッチ１９をＯＮ作動させて、照明，換気扇等の操作対象機器（図示略）をＯＮ操作することができ、無線タグ５３の操作スイッチ５７が一旦ＯＦＦになった後に再度ＯＮになることにより、リーダ１４側の通電制御用スイッチ１９をＯＦＦ作動させて、照明，換気扇等の操作対象機器（図示略）をＯＦＦ操作することができる。
【００３４】
本発明スイッチ装置５１は、無線タグ５３とリーダ１４を分離できるため、従来の化粧カバー１０（図６参照）で覆い隠すことが必要な大きさの開口部を壁表面側に開設することなく設置でき、また、濡れた手で無線タグ５３の操作スイッチ５７を操作しても感電することもない。また、本発明スイッチ装置５１は、無線タグ５３とリーダ１４を交信できる範囲で分離できるため、無線タグ５３及びリーダ１４の設置場所の制限が少なくなり、従来の壁スイッチ装置を設置できない箇所でも設置することが可能となる。なお、本発明スイッチ装置５１は、起動専用の無線タグ５３と停止専用の無線タグ５３を一組とし、起動専用の無線タグ５３の操作スイッチ５７の操作でリーダ１４側の通電制御用スイッチ１９をＯＮ作動させ、停止専用の無線タグ５３の操作スイッチ５７の操作でリーダ１４側の通電制御用スイッチ１９をＯＦＦ作動させるように構成することも可能である。
【００３５】
（第５の実施の形態）
図５は本発明スイッチ装置の第５の実施の形態に係るものであり、（Ａ）は壁表面側Ａから見た正面図、（Ｂ）は全体の右側断面図である。
【００３６】
本例の本発明スイッチ装置６１が前記第４の実施の形態に係る本発明スイッチ装置５１（図４参照）と相違する点は、壁仕上層１２と壁意匠材５２の間にリーダ１４のアンテナ１８を配置し、壁下地層１２に穿設した小径の挿通孔１２ａを挿通するアンテナ１８のリード線１８ａをリーダ１４のリーダ回路２３へ接続したことである。この相違点以外の構成は、第４の実施の形態に係る本発明スイッチ装置５１と実質的に同一であり、第４の実施の形態と同一の符号は同一構成部材等を指しており、詳細な説明は省略する。
【００３７】
本例の本発明スイッチ装置６１は、無線タグ５３とリーダ１４のアンテナ１８を接近させることが可能となり、リーダ１４のリーダ回路２３及び通電制御用スイッチ１９を無線タグ５３から離すことが可能となり、リーダ回路２３及び通電制御用スイッチ１９を設置する場所の制限をより少なくできる。なお、壁下地層１２は、無線電波が透過しないタイプのものであってもよい。
【００３８】
（その他の実施の形態）
前記第４，５の実施の形態に係る本発明スイッチ装置５１，６１（図４，図５参照）は、前記操作スイッチ５７を、第１の実施の形態に係る本発明スイッチ装置２１に用いている感圧式の操作スイッチ１１に置換することも可能である。また、本発明スイッチ装置は、前記無線タグ１３（５３）及びリーダ１４の複数組を備えて、一箇所で複数の操作対象機器（例えば、照明と換気扇）をＯＮ／ＯＦＦ操作することも可能である。
【図面の簡単な説明】
【００３９】
【図１】本発明スイッチ装置の第１の実施の形態に係るものであり、（Ａ）は壁表面側Ａから見た正面図、（Ｂ）は右側断面図、（Ｃ）は無線タグの電気回路構成、（Ｄ）は別態様を示す右側面図である。
【図２】本発明スイッチ装置の第２の実施の形態に係るものであり、（Ａ）は壁表面側Ａから見た正面図、（Ｂ）は全体の右側断面図である。
【図３】本発明スイッチ装置の第３の実施の形態に係るものであり、（Ａ）は壁表面側Ａから見た正面図、（Ｂ）は右側断面図である。
【図４】本発明スイッチ装置の第４の実施の形態に係るものであり、（Ａ）は壁表面側Ａから見た正面図、（Ｂ）は全体の右側断面図、（Ｃ）は壁意匠材に内蔵した無線タグを拡大した右側断面図、（Ｄ）は無線タグの電気回路構成である。
【図５】本発明スイッチ装置の第５の実施の形態に係るものであり、（Ａ）は壁表面側Ａから見た正面図、（Ｂ）は全体の右側断面図である。
【図６】従来の壁スイッチ装置を示す右側断面図である。
【符号の説明】
【００４０】
１２…壁下地層、１３（５３）…無線タグ、１４…リーダ、１５…アンテナ、１６…無線タグＩＣ、１７（５７）…操作スイッチ、１９…通電制御用スッチ、２０…仕上層、５２…壁意匠材
【図１】
2005243387.tif 000003
【図２】
2005243387.tif 000004
【図３】
2005243387.tif 000005
【図４】
2005243387.tif 000006
【図５】
2005243387.tif 000007
【図６】
2005243387.tif 000008